(57)【要約】【課題】地震による枠の変形や何らかの条件によって扉に圧力が掛かると、施錠している錠のデットボルトにその圧力が集中する。錠はデットボルトと錠受けの間の摩擦が大きくなり、合鍵やサムターンを指で回して解錠できなくなる。特に地震による場合は早く部屋から脱出しないと次に来る火災に巻き込まれる可能性が高くなる。従来の錠と同様の防犯機能で、同じ操作で使える錠で、施錠状態でデットボルトに強い圧力が掛かっても軽い操作でデットボルトを引込め、解錠できる錠を提供する事が課題である。【解決手段】施錠には合鍵やサムターンを回してデットボルトを突き出し、解錠には合鍵やサムターンを回して解錠状態にするが、デットボルトを引込めない事で操作を軽くし、レバーハンドルを回して強い力でデットボルトを引込めて解錠を行なう事で解決した。【選択図】　図２
2004116110.tif 000002
【特許請求の範囲】
【請求項１】
施錠するには、シリンダー（４）に刺し込んだ合鍵かサムターン（５）を回す事でデットボルト（２）を突き出すとともに、デットボルトが引込まないように固定し、同時にレバーハンドル（６）とデットボルトの連結を分離し、解錠するにはシリンダーに刺し込んだ合い鍵かサムターンを回す事で、デットボルトの固定を解除してデットボルトは引込めずにレバーハンドルとデットボルトを連結し、その後レバーハンドルを回せばデットボルトとラッチボルト（３）が同時に引込む事を特徴とする錠の施解錠機構。
【請求項２】
レバーハンドルを握り玉に代えた請求項１記載の錠の施解錠機構。
【請求項３】
特願２００２−１９９５２８請求項２記載の遊び付き合わせダルマ（１０）の原理を使用し、遊び付き合わせダルマの外ダルマ（１４）にデットボルトを出し入れするデットカム（１５）と、レバーハンドルでデットボルトを引込める為の連動カム（１６）を設け、内ダルマ（１１）にレバーハンドルとデットボルトの連結と分離を行なう施解錠カム（１３）を設け、内ダルマにシリンダーやサムターンの軸を組み付ける事で遊び付き合わせダルマの遊びによって、合鍵やサムターンを回してデットボルトを突き出す事ができるが引込める事ができず、レバーハンドルとデットボルトの連結と分離を行なう請求項１記載の錠の施解錠機構。
【請求項４】
施錠にあたり、デットボルトとレバーハンドルの連結を分離するとともにレバーハンドルの回転を防止し、解錠にあたり、レバーハンドルの回転の防止を解くとともにデットボルトとレバーハンドルを連結する、請求項１記載の錠にレバーハンドルの固定機能を追加した施解錠機構。
【発明の詳細な説明】
【０００１】
【発明の属する技術分野】
合鍵やサムターンを回してデットボルトを突き出し、レバーハンドルを回してデットボルトを引込める錠に関する。
【０００２】
【従来の技術】
レバーハンドルを回してデットボルトを引込める錠機構は２５年程以前に私の考案したパニック錠と、同じく特願２００２−１５３３４４と、同じく特願２００２−２７５４７４があるが、他の技術は見られない。グレモン錠もハンドルでデットボルトを出し入れするが、錠機能と構造は別である。
パニック錠はホテルの客室錠として使用し、室外側ハンドルは固定で軸が無く、室内側からは常にハンドルを回せば解錠するもので別技術である。
特願２００２−１５３３４４は複数の錠を連動させる為に、レバーハンドル操作時の大きい力を利用して複数錠のデットボルトの出し入れを可能にしたもので、別技術である。特願２００２−２７５４７４は非常時に非常解錠用のレバーを操作する事で、レバーハンドルでデットボルトを引込めるが、平常時は合鍵やサムターンでデットボルトを出し入れする別技術である。
【０００３】
【発明が解決しようとする課題】
地震で枠が変形し、扉に圧力が掛かった状態や、強い空調等で扉に圧力が掛かった状態では、施錠した錠に圧力が集中し、合鍵やサムターンを指でつまんで回すには力が入らない。扉に圧力が掛かる状態は多くの扉を見ていると時々見られる。そのような扉の錠を解錠するには手や指の不自由な人では無理であり、一般の健康な人でも難しい。
そのような状態の扉を、小さな操作力で容易にデットボルトを引込めて解錠できる錠を提供する事が課題である。
パニック錠、特願２００２−１５３３４４、特願２００２−２７５４７４も同様の目的に使用できるが、使用方法は多くの選択ができるように、別の技術を考案するものである。
【０００４】
【課題を解決するための手段】
できるだけ従来の錠の使い方で使用でき、デットボルトを強力な力で引込めて解錠できる錠を考案した。　このような錠は使い慣れていて使い易く違和感が無い。その為に施錠や解錠の操作は合鍵やサムターンを回す事で行なうが、それに加えてデットボルトの引込めはレバーハンドルを回して行なうようにした。
合鍵やサムターンを回してデットボルトを突き出して施錠するが、解錠には合鍵やサムターンを回して解錠状態とし、デットボルトを引込めない事で合鍵やサムターンの操作を軽くした。解錠状態でレバーハンドルを回してデットボルトを引込める事で、強い力でデットボルトを引込める事ができる。使い方も従来の一般的な錠と同じ使い方ができて違和感は生じない。
【０００５】
【発明の実施の形態】
請求項１記載の錠を説明するのが図１、２、３、４、５である。図１は錠セットの外観斜視図で、一般の錠の形と変わらない。図１の錠の機構を、部品の動きで説明するのが図２、３、４、５である。
まず、図２が解錠状態でレバーハンドルは定位置である水平の位置にある事を示す。従来の錠の解錠状態と同じである。施錠するには合鍵やサムターンを回せば、シリンダーやサムターンをシリンダー軸受け穴（１２）に組み付けた内ダルマ（１１）が左回転し、内ダルマが外ダルマ（１４）を押し回し、外ダルマのデットカム（１５）がデットボルト（２）を突き出す。同時にロッキングピン（９）が引込んでロッキングバー（８）がデットボルトを固定する。同時に内ダルマの施解錠カム（１３）がレバーハンドル（６）とデットボルトを連結させる連結バー（１７）を押してレバーハンドルをデットボルトから分離する。その状態が図３である。
図３の施錠状態ではレバーハンドルを回してもラッチボルトが引込むだけでデットボルトは引込まない。施錠した事を確認するには従来の錠のようにレバーハンドルを回して扉を押すか引いてみればわかる。
【０００６】
次に解錠するには、合鍵やサムターンを施錠と逆方向へ回せば図４の状態となる。内ダルマだけが回り、内ダルマの施解錠カム（１３）が連結バー（１７）から離れる。連結バーは連結バーバネ（１９）に押され、連結バーの爪（１８）が外ダルマの連動カム（１６）をグリップする。
この状態はデットボルトが突き出しているが解錠状態である。この後にはレバーハンドルを回すだけでデットボルトが引込んで扉を開けられるので、一般の錠の解錠状態と条件は同じである。
レバーハンドルを回してデットボルトを引込めた図が図５である。レバーハンドルから手を離せばハンドルバネ（２４）によってレバーハンドルの位置は定位に戻り、図２の状態となる。
【０００７】
図６と図７が請求項４記載の錠の施解錠状態を説明する図である。請求項１の機構との違いは、施錠時に内ダルマ（３３）の施解錠カム（３５）がハンドルロックバー（４３）を突き出してハンドルロックカム（４６）の回転を止めて、レバーハンドルが回らなくした機能を追加したものである。
解錠にはハンドルロックバーが引込み、レバーハンドルの固定を解く。施錠時にレバーハンドルを固定する意味は、ラッチボルトも引込める事ができず、デットボルトに加えてラッチボルトでも戸締りする事である。
図２、３、４、５、　６、　７では請求項３記載の遊び付き合わせダルマが重要な役目を果たす事を示す。
【０００８】
【発明の効果】
デットボルトの引込めをレバーハンドルを回す事で行なう方法は、地震による枠の変形等で扉に強い圧力が掛かった時に解錠する有効な方法である。安全性が高く、安心の持てる方法である。しかしながら、扉に圧力が掛かり、施錠した錠のデットボルトに圧力が掛かった状態でも解錠できる技術は私の考案以外に見られない。その為に多くの同様の技術を考案し、提供する事でその場所や使い方に合わせた錠を選ぶ事を可能にするものである。
錠は防犯と安全の両面で有効に機能して良い錠と言える。
【図面の簡単な説明】
【図１】発明の錠の、解錠状態でデットボルトを引込めた状態の外観斜視図である。
【図２】請求項３記載の遊び付き合わせダルマを使った請求項１記載の錠で、図１のＡＡ断面にあたる図である。
【図３】施錠した状態で、図１のＡＡ断面にあたる。。
【図４】解錠した状態で、デットボルトが突き出している状態の、図１のＡＡ断面にあたる。
【図５】図４の状態からレバーハンドルを回してデットボルトを引込めた状態で、図１のＡＡ断面にあたる。
【図６】請求項４記載の錠で、施錠した状態の、図１のＡＡ断面にあたる。
【図７】図６の錠の、解錠状態で、デットボルトが突き出している状態の、図１のＡＡ断面にあたる。
【符号の説明】
１．　錠ケース
２．　デットボルト
３．　ラッチボルト
４．　シリンダー
５．　サムターン
６．　レバーハンドル
７．　レバーハンドル軸受け穴
８．　ロッキングバー
９．　ロッキングピン
１０．　遊び付き合わせダルマ
１１．　内ダルマ
１２．　シリンダー軸受け穴
１３．　施解錠カム
１４．　外ダルマ
１５．　デットカム
１６．　連動カム
１７．　連結バー
１８．　爪
１９．　連結バネ
２０．　クリックバネ
２１．　ラッチカム
２２．　ラッチバネ
２３．　ハンドル軸カム
２４．　ハンドルバネ
３１．　デットボルト
３２．　遊び付き合わせダルマ
３３．　内ダルマ
３４．　シリンダー軸受け穴
３５．　施解錠カム
３６．　外ダルマ
３７．　デットカム
３８．　連動カム
３９．　連結バー
４０．　爪
４１．　連結バネ
４２．　プッシャー
４３．　ハンドルロックバー
４４．　ハンドルロックバーガード
４５．　ハンドル軸カム
４６．　ハンドルロックカム
４７．　ラッチボルト
４８．　ラッチカム
４９．　レバーハンドル軸受け穴
５０．　スライド突起
５１．　スライド溝
５２．　スライド突起
５３．　スライド溝
【図１】
2004116110.tif 000003
【図２】
2004116110.tif 000004
【図３】
2004116110.tif 000005
【図４】
2004116110.tif 000006
【図５】
2004116110.tif 000007
【図６】
2004116110.tif 000008
【図７】
2004116110.tif 000009